(57)【特許請求の範囲】
【請求項１】
水洗時に薬液を小便器の壁面に流下させる小便器用薬液供給装置を前記小便器の取付部に取着される線材から形成された小便器用薬液供給装置の線状取付具において、前記線状取付具は、前記小便器用薬液供給装置を抱持する係合枠線部と、前記係合枠線部の上部係合線から連続して上方に突出する首線部と、前記首線部の上端に形成されたループ線部から構成され、
前記小便器の取付部が下方に開口して洗浄水を供給流下させる２個の左右取付供給口を有した洗浄水供給部材であるとき、前記首線部は２本の左右首線部からなり、前記ループ線部は前記左右首線部の上方に分断して設けられた２個の左右ループ線部から形成され、前記左右ループ線部のループ径は前記左右取付供給口の口径より大きく設定されており、２個の前記左右ループ線部を２個の前記左右取付供給口に無理嵌め状に圧入して前記小便器用薬液供給装置を吊持することを特徴とする小便器用薬液供給装置の線状取付具。
【請求項２】
前記係合枠線部の下部係合線は一本の連続線であり、前記下部係合線の両端から上方に左右接続線が折曲形成され、前記左右接続線が内方に折曲されて前記上部係合線が形成され、前記下部係合線と前記左右接続線と前記上部係合線が前記係合枠線部を形成し、前記係合枠線部により前記小便器用薬液供給装置を抱持する請求項１に記載の小便器用薬液供給装置の線状取付具。
【請求項３】
前記係合枠線部の下部係合線は中央で分断されて左右に離間した２本の左右下部係合突線からなり、前記左右下部係合突線の両端から上方に左右接続線が折曲形成され、前記左右接続線が内方に折曲されて前記上部係合線が形成され、前記左右下部係合突線と前記左右接続線と前記上部係合線が前記係合枠線部を形成し、前記左右下部係合突線を前記小便器用薬液供給装置に係着して前記小便器用薬液供給装置を抱持する請求項１に記載の小便器用薬液供給装置の線状取付具。
【請求項４】
前記係合枠線部は、前記下部係合線と前記左右接続線と前記上部係合線から形成される多角形状係合枠線部又は楕円状係合枠線部である請求項２に記載の小便器用薬液供給装置の線状取付具。
【請求項５】
前記係合枠線部は、前記左右下部係合突線と前記左右接続線と前記上部係合線から形成される多角形状係合枠線部又は楕円状係合枠線部である請求項３に記載の小便器用薬液供給装置の線状取付具。
【請求項６】
前記首線部に角度調整線が屈曲して設けられ、前記角度調整線により前記係合枠線部に対する前記ループ線部の角度が調整される請求項１〜５のいずれかに記載の小便器用薬液供給装置の線状取付具。
【請求項７】
前記左右ループ線部の各々が逆Ｖ字状挿入線部とＶ字状押接線部から一体形成され、前記逆Ｖ字状挿入線部の屈曲部が先端となって前記左右取付供給口に無理嵌め状に圧入され、前記Ｖ字状押接線部が前記左右取付供給口の内壁に押接して前記左右ループ線部が前記左右取付供給口に取着される請求項１〜６のいずれかに記載の小便器用薬液供給装置の線状取付具。
【請求項８】
前記首線部は２本の左右首線部から構成され、前記左右首線部は中間位置で左右切断部を有し、前記左右切断部は掛合止めにより連続化される請求項１〜７のいずれかに記載の小便器用薬液供給装置の線状取付具。
【発明の詳細な説明】
【技術分野】
【０００１】
本発明は、小便器用薬液供給装置（以下、単に「薬液供給装置」とも称する）を小便器の取付部に取付ける線状取付具に関し、更に詳細には、水洗時に薬液を小便器の壁面に流下させる小便器用薬液供給装置を、小便器に取付ける線材から形成された線状取付具に関する。
【背景技術】
【０００２】
洗浄用の薬液供給装置や芳香器を小便器に取付けて、小便器の洗浄や消臭等を行うため、小便器の特性に応じて薬液供給装置等の取付具が開示されている。実公平３−４８２９０号公報（特許文献１）や実公平４−４２３７２号公報（特許文献２）には、線材からなる取付具（前記文献において支持具と称されている）が取付けられた芳香器が記載され、前記線材を散水孔に差し込み、前記芳香器を前記線材により散水孔から吊り下げることが記載されている。
【０００３】
その他に、特開２０１０−７０９６５号公報（特許文献３）、特開２０１０−７０９６６号公報（特許文献４）及び特許第３８０１９３０号公報（特許文献５）には、薬液供給装置に設けられた吸盤を小便器の内壁に吸着させ、小便器用薬液供給装置を取付けることが記載されている。また、特許第４４７６０２７号公報（特許文献６）には、小便器用の薬液供給装置を係合するフックを取付板に設け、この取付板を両面テープで小便器の内壁に貼り付け、小便器用薬液供給装置を前記取付板のフックに係合し、取付けることが記載されている。
【０００４】
更に、特許文献４には、図２３に示すように、前記吸盤で薬液供給装置を壁面ＴＷに取付けるもの以外に、フック１６１、１６２が設けられた薬液供給装置取付用の線材が記載されている。図２３は、従来の小便器用薬液用供給装置取付具の構成図である。（２３Ａ）では、小便器の上部にある洗浄水の噴出口Ｈにフック１６１を引っ掛け、（２３Ｂ）では、小便器内に設けられた下方に突出する突起の噴出口Ｈに、フック１６２を引っ掛けている。両フック１６１、１６２は、金属棒のバネ構造により噴出口Ｈに取付けられる。しかしながら、フック１６１では、洗浄水の噴出口Ｈの真下に設置され、噴出した洗浄水が吊り手に当たって飛散する可能性があることが特許文献４に記載されている。
【先行技術文献】
【特許文献】
【０００５】
【特許文献１】実公平３−４８２９０号公報
【特許文献２】実公平４−４２３７２号公報
【特許文献３】特開２０１０−７０９６５号公報
【特許文献４】特開２０１０−７０９６６号公報
【特許文献５】特許第３８０１９３０号公報
【特許文献６】特許第４４７６０２７号公報
【発明の概要】
【発明が解決しようとする課題】
【０００６】
前述のように、特許文献１や特許文献２には、支持具と称される線材からなる取付具を散水孔に差し込み、前記芳香器を前記線材により散水孔から吊り下げることが記載されている。しかしながら、特許文献１や特許文献２では、前記支持具を撓ませてその尖鋭な両端部を散水口に差し込むことから、散水孔から取外し難くかった。更に、前記両端部を散水孔に差し込む際に、散水孔の周辺を損傷させることがあり、また、散水孔の周辺を損傷させないよう前記両端部を散水孔に差し込むことは困難であった。散水孔の周辺が損傷した場合、水垢等が付着し、より不衛生である印象を与えていた。
【０００７】
特許文献３〜５には、薬液供給装置に設けられた吸盤を小便器の内壁に吸着させ、小便器用薬液供給装置を取付けることが記載されている。しかしながら、吸盤の付着力は、その素材の劣化に伴って急速に減少し、小便器用薬液供給装置を長期間に亘って付着させることは困難であった。同様に、特許文献６には、小便器用薬液供給装置を係合するフックを取付板に設け、この取付板を両面テープで小便器の内壁に貼り付けることが記載されているが、両面テープの付着力も接着剤の劣化に伴って急速に減少するため、小便器用薬液供給装置を長期間に亘って付着させることは困難であった。
【０００８】
特許文献４には、図２３に示すように、前記吸盤で小便器用薬液供給装置を壁面ＴＷに取付けるもの以外に、フック１６１、１６２が設けられた薬液供給装置取付用の線材が記載されている。しかしながら、前述のように、フック１６１では、洗浄水の噴出口Ｈの真下に設置され、噴出した洗浄水が吊り手に当たって飛散する可能性があることが特許文献４に記載されている。更に、前記フック１６１、１６２のように、１つのフックに吊り下げるだけでは不安定であり、洗浄水により小便器用薬液供給装置の位置がずれる場合があり、毎回、洗浄水に同量程度の薬剤を溶解・分散させることが困難であり、安定した洗浄効果を得難かった。
【０００９】
従って、本発明の目的は、上述の課題を解決するものであり、小便器を損傷させることなく、薬液供給装置を安定に取付け、洗浄水の供給時に、同量程度の薬剤を分散・溶解させ、長期間に亘って使用可能な小便器用薬液供給装置の線状取付具を提供することである。
【課題を解決するための手段】
【００１０】
本発明の第１の形態は、水洗時に薬液を小便器の壁面に流下させる小便器用薬液供給装置を前記小便器の取付部に取着される線材から形成された小便器用薬液供給装置の線状取付具において、前記線状取付具は、前記小便器用薬液供給装置を抱持する係合枠線部と、前記係合枠線部の上部係合線から連続して上方に突出する首線部と、前記首線部の上端に形成されたループ線部から構成され、前記ループ線部を前記小便器の前記取付部に取着する小便器用薬液供給装置の線状取付具である。
【００１１】
本発明の第２の形態は、第１の形態において、前記小便器の取付部が周囲に環状溝を形成した円盤状突起のとき、前記ループ線部は前記首線部から上方に連設して形成された輪部であり、前記輪部を前記円盤状突起に外嵌状に掛合して前記環状溝に吊持する小便器用薬液供給装置の線状取付具である。
【００１２】
本発明の第３の形態は、第１の形態において、前記小便器の取付部が下方に開口して洗浄水を供給流下させる２個の左右取付供給口を有した洗浄水供給部材であるとき、前記首線部は２本の左右首線部からなり、前記ループ線部は前記左右首線部の上方に分断して設けられた２個の左右ループ線部から形成され、前記左右ループ線部のループ径は前記左右取付供給口の口径より大きく設定されており、２個の前記左右ループ線部を２個の前記左右取付供給口に無理嵌め状に圧入して前記小便器用薬液供給装置を吊持する小便器用薬液供給装置の線状取付具である。
【００１３】
本発明の第４の形態は、第１〜第３のいずれかの形態において、前記係合枠線部の下部係合線は一本の連続線であり、前記下部係合線の両端から上方に左右接続線が折曲形成され、前記左右接続線が内方に折曲されて前記上部係合線が形成され、前記下部係合線と前記左右接続線と前記上部係合線が前記係合枠線部を形成し、前記係合枠線部により前記小便器用薬液供給装置を抱持する小便器用薬液供給装置の線状取付具である。
【００１４】
本発明の第５の形態は、第１〜第３のいずれかの形態において、前記係合枠線部の下部係合線は中央で分断されて左右に離間した２本の左右下部係合突線からなり、前記左右下部係合突線の両端から上方に左右接続線が折曲形成され、前記左右接続線が内方に折曲されて前記上部係合線が形成され、前記左右下部係合突線と前記左右接続線と前記上部係合線が前記係合枠線部を形成し、前記左右係合突線を前記小便器用薬液供給装置に係着して前記小便器用薬液供給装置を抱持する小便器用薬液供給装置の線状取付具である。
【００１５】
本発明の第６の形態は、第４の形態において、前記係合枠線部は、前記下部係合線と前記左右接続線と前記上部係合線から形成される多角形状係合枠線部又は楕円状係合枠線部である請求項４に記載の小便器用薬液供給装置の線状取付具である。
【００１６】
本発明の第７の形態は、第５の形態において、前記係合枠線部は、前記左右下部係合突線と前記左右接続線と前記上部係合線から形成される多角形状係合枠線部又は楕円状係合枠線部である小便器用薬液供給装置の線状取付具である。
【００１７】
本発明の第８の形態は、第１〜第７のいずれかの形態において、前記首線部に角度調整線が屈曲して設けられ、前記角度調整線により前記係合枠線部に対する前記ループ線部の角度が調整される小便器用薬液供給装置の線状取付具である。
【００１８】
本発明の第９の形態は、第２、第４〜第８のいずれかの形態において、前記輪部が一個の無端状の無端輪部である小便器用薬液供給装置の線状取付具である。
【００１９】
本発明の第１０の形態は、第２、第４〜第９のいずれかの形態において、前記上部係合線に２本の前記首線部が左右に設けられ、前記首線部が交差し、前記輪部が前記２つの首線部の端部から上方に連続して形成される小便器用薬液供給装置の線状取付具である。
【００２０】
本発明の第１１の形態は、第２、第４〜第９のいずれかの形態において、前記上部係合線に２本の前記首線部が左右に設けられ、一方の前記首線部と他方の前記首線部の両方から自由端を有する有端輪部が連接され、前記有端輪部が２つ重なって前記輪部を構成する小便器用薬液供給装置の線状取付具である。
【００２１】
本発明の第１２の形態は、第３〜第８のいずれかの形態において、前記左右ループ線部の各々が逆Ｖ字状挿入線部とＶ字状押接線部から一体形成され、前記逆Ｖ字挿入線部の屈曲部が先端となって前記左右取付供給口に無理嵌め状に圧入され、前記Ｖ字状押接線部が前記左右取付供給口の内壁に押接して前記左右ループ線部が前記左右取付供給口に取着される小便器用薬液供給装置の線状取付具である。
【００２２】
本発明の第１３の形態は、第１〜第１２のいずれかの形態において、前記首線部は２本の左右首線部から構成され、前記左右首線部は中間位置で左右切断部を有し、前記左右切断部は掛合止めにより連続化される請求項１〜１２のいずれかに記載の小便器用薬液供給装置の線状取付具である。
【発明の効果】
【００２３】
本発明の第１の形態によれば、前記線状取付具は、前記小便器用薬液供給装置を抱持する係合枠線部と、前記係合枠線部の上部係合線から連続して上方に突出する首線部と、前記首線部の上端に形成されたループ線部から構成され、前記ループ線部を前記小便器の前記取付部に取着するから、小便器を損傷させることなく薬液供給装置を安定に取付け、洗浄水の供給時に、洗浄水に同量程度の薬剤を分散・溶解させ、長期間に亘って使用することができる。即ち、前記ループ線部を小便器の前記取付部に取着させるから、尖鋭な線状取付具の端部を小便器の壁面に接所させる必要がないため、小便器を損傷させることなく薬液供給装置を取付けることができる。また、前記係合枠線部により小便器用薬液供給装置を抱持するから、前記薬液供給装置が同じ位置に配設されるよう、安定して小便器用薬液供給装置が取付けられ、毎回、水洗時の洗浄水供給時に同量程度の薬剤を分散・溶解させることができる。更に、前記係合枠線部は、薬液供給装置を安定して抱持できるよう適宜に設計することができる。前記ループ線部や前記係合枠線部は、線材から形成され、吸盤や両面テープに比べ、形状や素材が殆ど劣化することが無く、小便器用薬液供給装置を長期間に亘って取付けることができる。前記線材は、ステンレス鋼、炭素鋼等の不錆材料からなることが望ましく、長期間に亘って形状や可撓性を保持することができる。前記ループ線部を小便器に設けられた孔に圧入したり、小便器に設けられた突起等に吊持させたりすることができ、前記ループ線部のループ径を自在に設計し、小便器に取着させることができる。
【００２４】
本発明の第２の形態によれば、前記小便器の取付部が周囲に環状溝を形成した円盤状突起のとき、前記ループ線部は前記首線部から上方に連設して形成された輪部であり、前記輪部を前記円盤状突起に外嵌状に掛合して前記環状溝に吊持するから、より簡単に薬液供給装置を小便器の壁面に取付けることができる。即ち、前記取付部が周囲に環状溝を形成した円盤状突起であり、比較的簡単に、前記環状溝に前記輪部を外嵌状に掛合することができ、前記輪部は、前記薬液供給装置を抱持する前記係合枠線部に前記首線部を介して連設されるから、より簡単に薬液供給装置を小便器の壁面に取付けることができる。前記輪部は、線材から形成され、前記円盤状突起や前記環状溝の大きさや構造に応じて容易に設計し、加工することができる。
【００２５】
本発明の第３の形態によれば、前記小便器の取付部が下方に開口して洗浄水を供給流下させる２個の左右取付供給口を有した洗浄水供給部材であるとき、前記首線部は２本の左右首線部からなり、前記ループ線部は前記左右首線部の上方に分断して設けられた２個の左右ループ線部から形成され、前記左右ループ線部のループ径は前記左右取付供給口の口径より大きく設定されており、２個の前記左右ループ線部を２個の前記左右取付供給口に無理嵌め状に圧入して前記小便器用薬液供給装置を吊持するから、洗浄水を供給流下させる供給口を前記取付部とすることができ、比較的簡単に、且つ、安定に小便器用薬液供給装置を取付けることができる。即ち、前記ループ線部は、２個の左右ループ線部から形成され、２個の前記左右取付供給口に無理嵌め状に圧入されるから、安定に前記薬液供給装置が取付けられ、水洗時に略同量程度の薬液を小便器の壁面に流下させることができる。更に、前記２個の左右ループ線部は、ループ形状を有するから、前記左右取付供給口に無理嵌め状に圧入しても供給口の周囲が損傷することが殆ど無く、前記左右ループ線部の着脱を繰り返して行うことができる。また、前記左右ループ線部は、線材から形成され、前記左右取付供給口の大きさや形状に応じて自在にループ形状を設計し、加工することができる。
【００２６】
本発明の第４の形態によれば、前記係合枠線部の下部係合線は一本の連続線であり、前記下部係合線の両端から上方に左右接続線が折曲形成され、前記左右接続線が内方に折曲されて前記上部係合線が形成され、前記下部係合線と前記左右接続線と前記上部係合線が前記係合枠線部を形成するから、前記係合枠線部により前記小便器用薬液供給装置を抱持して安定に取付けることができる。即ち、前記小便器用薬液供給装置を抱持し、且つ、前記上部係合線と前記下部係合線により前記小便器用薬液供給装置を係合し、小便器の壁面に安定に取付けることができる。また、前記上部係合線を係合させる部材が前記小便器用薬液供給装置に設けられていない場合においても、前記係合枠線部により前記小便器用薬液供給装置を抱持するから、比較的安定に前記小便器用薬液供給装置を取付けることができる。
【００２７】
本発明の第５の形態によれば、前記係合枠線部の下部係合線は中央で分断されて左右に離間した２本の左右下部係合突線からなり、前記左右下部係合突線の両端から上方に左右接続線が折曲形成され、前記左右接続線が内方に折曲されて前記上部係合線が形成され、前記左右下部係合突線と前記左右接続線と前記上部係合線が前記係合枠線部を形成し、前記左右係合突線を前記小便器用薬液供給装置に係着して前記小便器用薬液供給装置を抱持するから、簡単な構造で比較的強固に小便器用薬液供給装置を取付けることができる。前記２本の左右下部係合突線を前記小便器用薬液供給装置に設けられた係着孔、係合片や係合突起等に係着させ、比較的強固に、且つ、安定に前記小便器用薬液供給装置を抱持することができる。前述のように、更に、前記上部係合線を係合させれば、より安定に前記小便器用薬液供給装置を取付けることができる。
【００２８】
本発明の第６の形態によれば、前記係合枠線部は、前記下部係合線と前記左右接続線と前記上部係合線から形成される多角形状係合枠線部又は楕円状係合枠線部であるから、前記小便器用薬液供給装置の形状に応じて、前記係合枠線部の形状を選択し、前記小便器用薬液供給装置を抱持して安定に小便器の壁面に取付けることができる。前述のように、前記係合枠線部は、線材から形成され、多角形状や楕円状に容易に加工することができる。前記多角形状係合枠線部は、三角状〜九角状の多角形形状を有することが好ましく、比較的容易に線材を曲げ加工し又は接合し、前記小便器用薬液供給装置の形状に応じて安定に抱持できる形状に加工することができる。更に、十角形以上の多角形状係合枠線部を加工することも可能であり、前記小便器用薬液供給装置の安定性を重視することがより好ましい。また、多角形状係合枠線部により複数箇所で前記小便器用薬液供給装置の係合可能な部材に係合することができ、より安定性を向上させることができる。
【００２９】
本発明の第７の形態によれば、前記係合枠線部は、前記左右下部係合突線と前記左右接続線と前記上部係合線から形成される多角形状係合枠線部又は楕円状係合枠線部であるから、前記小便器用薬液供給装置の形状に応じて、前記係合枠線部の形状を選択し、前記係合枠線部により前記小便器用薬液供給装置を抱持すると共に前記左右下部係合突線が係着し、安定に小便器の壁面に取付けることができる。前述のように、前記係合枠線部は、線材から形成され、多角形状や楕円状に容易に加工することができる。前記多角形状係合枠線部は、三角状〜九角状の多角形形状を有することが好ましく、比較的容易に線材を曲げ加工し又は接合し、前記小便器用薬液供給装置の形状に応じて安定に抱持する形状に加工することができる。また、前記左右下部係合突線が好適な位置に形成されていれば、十角形以上の多角形状係合枠線部を加工することも可能であり、前記小便器用薬液供給装置の安定性を重視することがより好ましい。また、第７の形態では、左右に離間した前記２本の左右下部係合突線を有し、本発明に係る線状取付具は必ず両端を有し、１本以上の線材から曲げ加工により製造することが可能であり、無端の線状取付具に比べ、比較的容易に製造することができる。
【００３０】
本発明の第８の形態によれば、前記首線部に角度調整線が屈曲して設けられ、前記角度調整線により前記係合枠線部に対する前記ループ線部の角度が調整されるから、より安定に前記小便器用薬液供給装置を小便器の壁面に取付けることができる。即ち、前記角度調整線により前記ループ線部の前記角度が調整され、小便器の壁面に好適な角度で又は略平行に前記小便器用薬液供給装置の裏面が接触し、安定に取付けることができる。従って、水洗時に、好適な量の薬剤を洗浄水中に供給し、前記壁面を流下させることができる。
【００３１】
本発明の第９の形態によれば、前記輪部が一個の無端状の無端輪部であるから、簡単な構造を有し、比較的容易に製造することができると共に、前記円盤状突起に外嵌状に掛合して前記環状溝に吊持すれば、比較的強固に前記小便器用薬液供給装置を小便器壁面に取付けることができる。前記環状溝の形状に適した大きさ及び／又は太さを有することによって、より安定、且つ強固に前記小便器用薬液供給装置を取付けることができる。
【００３２】
本発明の第１０の形態によれば、前記上部係合線に２本の前記首線部が左右に設けられ、前記首線部が交差し、前記輪部が前記２つの首線部の端部から上方に連続して形成されるから、前記輪部をより簡単に形成することができる共に、前記首線部と前記輪部の耐久性を向上させることができる。即ち、前記首線部が上方に直線的に連設されている場合、前記首線部の上方端部から略直角に屈曲させ、首線部の先端から前記輪部を形成する又は接合するため、前記輪部と前記首線部が連続する部分の強度が低下する可能性があった。しかしながら、前記首線部が交差し、徐々に湾曲して前記輪部が形成されるから、前記首線部と前記輪部がより連続的に形成又は接続され、耐久性を向上させることができる。
【００３３】
本発明の第１１の形態によれば、前記上部係合線に２本の前記首線部が左右に設けられ、一方の前記首線部と他方の前記首線部の両方から自由端を有する有端輪部が連接され、前記有端輪部が２つ重なって前記輪部を構成するから、前記輪部の強度を増強することができる。更に、前記輪部は、自由端を有する前記２つの有端輪部からなり、各々の一端が各首線部に連設されれば良く、比較的簡単に製造することができる。また、前記環状溝の幅に安定に掛合され、取付けられた小便器用薬液供給装置の安定性をより向上させることができる。
【００３４】
本発明の第１２の形態によれば、前記左右ループ線部の各々が逆Ｖ字状挿入線部とＶ字状押接線部から一体形成され、前記逆Ｖ字挿入線部の屈曲部が先端となって前記左右取付供給口に無理嵌め状に圧入されるから、前記左右取付供給口に、比較的容易に前記左右ループ線部を圧入して、左右２箇所で前記小便器用薬液供給装置を安定に取付けることができる。更に、前記Ｖ字状押接線部が前記左右取付供給口の内壁に押接して前記左右ループ線部が前記左右取付供給口に取着されるから、前記逆Ｖ字挿入線部の屈曲部の先端を圧入するときと同様に、前記左右取付供給口内を殆ど損傷させることが無く、繰り返し着脱可能である。また、前記左右取付供給口を取付部として利用でき、更に、より効率的に洗浄水を小便器用薬液供給装置内に導くことが可能である。
【００３５】
本発明の第１３の形態によれば、前記首線部は２本の左右首線部から構成され、前記左右首線部は中間位置で左右切断部を有し、前記左右切断部は掛合止めにより連続化されるから、前記ループ線部と前記係合枠線部を前記首線部の左右切断部を介して比較的容易に接続することができる。また、前記首線部は２本の左右首線部から構成されるから、前記係合枠線部がより安定に連設され、前記小便器用薬液供給装置の安定性を保持することができる。前記左右切断部は、線材同士をＵ字状と逆Ｕ字状に折り曲げて掛合したものや、２本の線材を重ね捻ったものを用いても良い。前記Ｕ字状と前記逆Ｕ字状に折り曲げて掛合したものであれば、比較的簡単に形成できると共に、前記左右切断部から分離することも可能であり、適宜に前記ループ線部と前記係合枠線部のいずれかを取り替えることができる。
【図面の簡単な説明】
【００３６】
【図１】図１は、本発明に係る薬液供給装置が取付けられた小便器の概略図である。
【図２】図２は、本発明に係る薬液供給装置の取付部が設けられた小便器と前記取付部の内部に設けられた洗浄水供給部材の拡大概略図である。
【図３】図３は、本発明に係る薬液供給装置と洗浄水供給部材である。
【図４】図４は、本発明に係る線状取付具の構成概略図である。
【図５】図５は、本発明に係る線状取付具の他の実施形態を示す構成概略図である。
【図６】図６は、本発明に係る線状取付具の挿入部の構成概略図である。
【図７】図７は、本発明に係る薬液供給装置本体の構成概略図である。
【図８】図８は、本発明に係る薬液供給装置本体の開閉部材を開放した状態の構成概略図である。
【図９】図９は、本発明に係る薬液供給装置本体の側面概略図である。
【図１０】図１０は、本発明に係る洗浄水供給部材の構成概略図である。
【図１１】図１１は、本発明に係る洗浄水供給部材の部分断面図である。
【図１２】図１２は、本発明に係る薬液供給装置を洗浄水供給部材に装着した状態の概略図である。
【図１３】図１３は、本発明に係る薬液供給装置の裏面概略図である。
【図１４】図１４は、本発明に係る薬液供給装置のカバーの開閉を説明する説明図である。
【図１５】図１５は、本発明に係る薬液供給装置が輪状取付具によって装着された小便器の概略図である。
【図１６】図１６は、本発明に係る小便器の突出取付部の拡大概略図である。
【図１７】図１７は、本発明に係る輪状取付具の構成概略図である。
【図１８】図１８は、本発明に係る輪状取付具の他の実施形態を示す構成概略図である。
【図１９】図１９は、本発明に係る輪状取付具の輪部の側面概略図である。
【図２０】図２０は、本発明に係る輪状取付具の輪部を小便器の環状溝に取付けた説明図である。
【図２１】図２１は、本発明に係る薬液供給装置本体に輪状取付具を配設した構成概略図である。
【図２２】図２２は、本発明に係る薬液供給装置のカバーの構成概略図である。
【図２３】図２３は、従来の小便器用薬液供給装置取付具の構成図である。
【発明を実施するための形態】
【００３７】
以下、図面を示して本発明に係る小便器用薬液供給装置（以下、単に「薬液供給装置」とも称する）の線状取付具に関する実施形態を詳細に説明する。尚、同一部材や同一機能の部材には、同一符号を付しており、以下において、一度説明した部材については、付加的な特別の機能等がない限り、説明を省略する。
図１は、本発明に係る薬液供給装置２が取付けられた小便器４の概略図である。図１において、薬液供給装置２が小便器４の取付部６に取付けられており、使用者が小便器４から離れたことをセンサ４ａで感知すると、洗浄水が小便器４の上部から供給され、薬液供給装置２を介して壁面８を流下する洗浄水に薬剤が溶解・分散している。薬剤を含む洗浄水により小便器４の壁面８が洗浄される。更に、小便器４の内壁の底であって壁面８に連続する小便受部１０に、一時的に溜まることにより薬剤を含有する洗浄水の膜、たまり、層等が形成され、前記小便受部１０が洗浄される。薬液供給装置２は、本発明に係る線状取付具（図１には記載されていない）によって小便器４に取付けられている。前記線状取付具は、小便器４を損傷させることなく、薬液供給装置２をより安定に且つより簡単に取付けることができ、長期間に亘って使用可能であることが要求される。薬液供給装置２が安定に取付けられることにより、水洗時に略同程度の薬液を毎回供給することができ、小便器４をより清潔に保つことができる。
【００３８】
図２は、本発明に係る薬液供給装置２の取付部６が設けられた小便器４と前記取付部６の内部に設けられた洗浄水供給部材１２の拡大概略図である。図２に示した小便器は４では、薬液供給装置２が取り外されており、小便器４の内壁を構成する壁面８の上方には、薬液供給装置２の取付部６が設けられ、前記取付部６が下方に開口している。前記取付部６の内部には、一点破線の四角内に示した洗浄水供給部材１２が設けられている。図中の前記洗浄水供給部材１２は、洗浄水供給管１４、終端壁１８、ストッパ２０から構成され、洗浄水を供給流下させる取付供給口１６が左右に２箇所設けられている。後述するように、洗浄水供給管１４には、ストッパ２０を介して挿入管が連設されており、前記挿入管に供給されて流通した洗浄水が洗浄水供給管１４に供給され、前記取付供給口１６及び間隙２２から流下する。前記終端壁１８が小便器に接触し、洗浄水供給管１４を介して供給される洗浄水は、最終的に終端壁１８に衝突して間隙２２や取付供給口１６から流下し、一部が薬液供給装置２に供給される。この洗浄水は、一部が取付けられる薬液供給装置２に流入し、薬剤が溶解及び／又は分散して、更に壁面８を流下することにより、小便器４の内壁を洗浄する。後述のように、薬液供給装置２は、前記左右の取付供給口１６に圧入される２個のループ線部を有した線状取付具によって、前記洗浄水供給部材１２に取付けられる。
【００３９】
図３は、本発明に係る薬液供給装置と洗浄水供給部材１２である。薬液供給装置の本体にカバー２４が取付けられ、後述するように、前記カバー２４の取付具口２６に線状取付具１の挿入部等が配設されるよう構成されている。従って、カバー２４の内部には、薬液供給装置の本体が内蔵されており、詳細は後述する。尚、本願明細書では、薬液供給装置において、カバー２４が必須の構成要件ではないため、カバー２４の内部にある薬液供給装置の本体を「薬液供給装置」と称する場合がある。図３の実施形態において、前記カバー２４は、内部にある薬液供給装置の本体と別部材として記載されているが、カバーと本体が一体形成されていても良く、「薬液供給装置」は、薬液供給装置の本体を包含する用語として用いる。即ち、本願明細書では、薬剤を収容し、洗浄水中に薬剤を溶解及び／又は分散させることが可能であり、線状取付具によって抱持されて小便器に取付可能なものを「薬液供給装置」と称し、更に、その外側にカバーを設けた際に、「薬液供給装置の本体」又は「薬液供給装置本体」と称する。
前記取付具口２６は、線状取付具１を洗浄水供給部材１２の取付供給口１６に圧入できるよう形成されれば良く、図３に示した実施形態では、取付具口壁面２８が設けられている。前記洗浄水供給部材１２は、洗浄水供給管１４、ストッパ２０、挿入管３２及び挿入管上部３４からなり、前記洗浄水供給管１４、前記挿入管３２及び前記挿入管上部３４は連通し、挿入管上部３４に供給された洗浄水が取付供給口１６まで流通する。流通してきた洗浄水は、薬液供給装置が取付けられた際、前述のように、取付供給口１６や終端壁１８との間隙から薬液供給装置内に供給される。また、前記取付具口壁面２８が設けられることにより、洗浄水供給部材１２を介して供給される洗浄水は、殆どが薬液供給装置内に流入し、好適な量の薬剤を供給することができる。また、薬液供給装置の横ブレ防止や小便器との一体感が得られる。図３に示した実施形態の線状取付具１は、図において、前記取付具口２６から突出しているが、前記洗浄水供給部材１２を取付けた際に、前記取付具口壁面２８に前記ストッパ２０に接触する程度に配設されることが好ましく、洗浄水をより高効率に薬液供給装置内に供給することができる。前記洗浄水供給部材１２の挿入管上部３４には、螺合部３４ａが設けられ、図２において、一点破線内に拡大概略図を示したように、前記挿入管３４が小便器の取付部内に螺合し、前記取付部内において、洗浄水供給管１４とストッパ２０が露出するよう構成されている。また、図３に示すように、カバー２４には、嵌合孔３０が設けられ、図示していないが、薬液供給装置の本体に設けられた嵌合突起が嵌合し、カバー２４が固定される。
【００４０】
図４は、本発明に係る線状取付具の構成概略図である。（４Ａ）に示した実施形態の線状取付具１は、挿入部３、係合枠線部４１及び首線部４３から構成され、前記ループ線部は、三角状ループからなる左右２個の挿入部３である。挿入部３の詳細については、後述する。各挿入部３が左右の各首線部４３により係合枠線部４１に連設されている。挿入部先端３ａから挿入部３が図３に示した取付供給口１６に圧入される。前記各首線部４３には、角度調整線４４が屈曲して設けられ、この角度調整線４４により前記係合枠線部４１に対する挿入部３の角度が調整され、前記係合枠線部４１により抱持すると共に、好適な角度で挿入部３が図３に示した取付供給口１６に圧入される。前記角度調整線４４に関する詳細は後述する。前記係合枠線部４１は、一本の連続線からなる下部係合線３６と左右の接続線４０によって接続された各上部係合線４２から形成され、前記各首線部４３は、前記各上部係合線４２を介して係合枠線部４１に連設されている。（４Ａ）に示した線状取付線１の実施形態では、前記上部係合線４２が薬液供給装置の本体に係合し、更に前記下部係合線３６の下部係合部３８が前記薬液供給装置の本体に係合する。即ち、前記係合枠線部４１により前記薬液供給装置の本体を抱持し、左右にある前記各上部係合線４２と各下部係合部３８が前記薬液供給装置の本体に係合するよう形成されている。
【００４１】
図４の（４Ｂ）には、線状取付具１の他の実施形態を示している。係合枠線部４１の下部係合線は中央で分断されて左右に離間し、左右にある２本の下部係合突線３９を有している。即ち、各下部係合突線３９が（４Ａ）に示した各下部係合部３８の機能を有し、係合枠線部４１により前記薬液供給装置の本体を抱持し、左右にある前記各上部係合線４２と各下部係合突線３９が前記薬液供給装置の本体に係合するよう形成されている。前記下部係合突線３９は、互いに分離しているから、薬液供給装置の本体に嵌合孔を２個設ければ、前記各下部係合突線３９を各嵌合孔に嵌合し、より安定に前記薬液供給装置の本体を抱持することができる。前記係合枠線部４１により前記薬液供給装置の本体が抱持され、前記各上部係合線４２及び／又は前記各下部係合突線３９が前記薬液供給装置の本体に係合すれば良く、左右の上部係合線４２が一本の連続線から形成されても良い。この場合、線状取付具１が一体形成され、前記薬液供給装置を抱持する安定性を向上させることができる。上部係合線４２が一本の連続線から形成されても、２箇所に左右の首線部４３を接続することができる。（４Ｂ）において、前記各挿入部３は、（４Ａ）と同形状であり、同様に、左右の各首線部４３により係合枠線部４１に連設されており、各首線部４３及び各挿入部３に関するこれ以上の説明を省略する。
【００４２】
図５は、本発明に係る線状取付具１の他の実施形態を示す構成概略図である。図４に示した線状取付具１と異なる特徴についてのみ説明する。図５の（５Ａ）において、係合枠線部４１は三角形状を有し、下部係合線３６に対して左右の上部係合線４２が傾斜しており、左右の接続線４０は殆ど長さを有さず、下部係合線３６と各上部係合線４２の接続点として機能している。但し、左右の接続線４０は、薬液供給装置の形状に応じて適宜に設計を変更することができ、その場合、三角状の係合枠線部４１は、台形状に近づくが、台形状の係合枠線部４１も広義に三角状の係合枠線部４１と称している。即ち、前記係合枠線部４１が前記薬液供給装置を抱持し、前記係合枠線部４１の上部係合線４２及び下部係合線３６の一部又は全部が前記薬液供給装置に設けられた部材に係合できれば良い。
【００４３】
図５の（５Ｂ）において、係合枠線部４１は略楕円形状を有し、各上部係合線４２と下部係合線３６を接続し、それらの左右にある接続線４０が湾曲している。前記各上部係合線４２と前記下部係合線３６がそれらの左右において、連続的に若干湾曲して接続されている。前記各上部係合線４２と前記下部係合線３６は、直線の線材から形成されても良く、前記係合枠線部４１が薬液供給装置を抱持し、前記各上部係合線４２及び／又は各下部係合部３８を含む前記下部係合線３６が薬液供給装置に係合できれば良い。前記各上部係合線４２と前記下部係合線３６が直線の又は直線に近い線材から形成される場合、前記係合枠線部４１はトラック状の形状を有するが、（５Ｂ）に示す略楕円の形状やトラック状の形状を楕円形状と称し、楕円状の係合枠線部４１と称している。
【００４４】
図６は、本発明に係る線状取付具の挿入部３の構成概略図である。（６Ａ）では、前記接続部４０、前記上部係合部４２及び前記首線部４３の始端部が水平面平行に記載されている。前記挿入部３は三角形状を有し、押接部４８、挿入接続部５０及び挿入押接部４６から一体形成されている。挿入押接部４６の上部と挿入接続部５０は、逆Ｖ字状の挿入線部を形成し、挿入押接部４６の下部と押接部４８がＶ字状の押接線部を形成している。逆Ｖ字にある前記挿入接続部５０と前記挿入押接部４６の上部との屈曲部が挿入部先端３ａとなって、前記取付供給口に無理嵌め状に圧入される。前記挿入接続部５０と前記挿入押接部４６は、可撓性を有するステンレス鋼、炭素鋼等の不錆材料からなる線材から形成され、無理嵌め状に圧入されるとき、バネ状に挿入部先端３ａが更に屈曲し、前記取付供給口に圧入される。前記取付供給口に前記挿入部３が挿入されると、バネ状に挿入部先端３ａの屈曲が僅かに開放され、前記押接部４８と前記挿入押接部４６の下部が前記取付供給口の内壁に押接する。その機構の詳細は後述する。
【００４５】
図６の（６Ａ）、（６Ｂ）に記載される挿入部３は、前記首線部４３の角度調整線４４を介して前記上部係合線４２に連設される。前記接続部４０、前記上部係合部４２及び前記首線部４３の始端部を含む前記係合枠線部が略同一平面上にある場合、角度調整線４４により前記係合枠線部に対する挿入部３の角度を調整することができる。前記係合枠線部が略同一平面上にない場合においても、前記角度調整線４４が設けられることにより、前記挿入部先端３ａを好適な方向に設定することが可能である。（６Ｂ）では、前記接続部４０や前記首線部４３の始端部が傾斜し、前記挿入押接部４６が垂直になるよう記載されている。即ち、前記係合枠線部を略含む平面の水平面に対する角度は、前記係合枠線部により前記薬液供給装置を抱持し、小便器に取付けられた状態であるとき、前記角度調整線４４により前記挿入部先端３ａが上方を向くように調整されている。
【００４６】
図６の（６Ｃ）は、挿入押接部４６と首線部４３が略直線であり、上部係合部と接続部４０が挿入押接部４６と略同一平面状にあり、前記首線部４３に角度調整線４４が設けられていない。即ち、前記係合枠線部により前記薬液供給装置を抱持したとき、前記首線部４３の方向に応じて前記角度調整線４４が設けられ、挿入部３の向きが適宜に調節される。（６Ａ）、（６Ｂ）では、前記首線部４３に前記角度調整線４４が設けられ、前記首線部４３が屈曲していたが、前記首線部４３の全体を同一方向に向け、挿入部３が好適に配設され、小便器に取付けられるよう調整しても良い。即ち、前記首線部４３の全部を角度調整線４４としても良い。
【００４７】
図７は、本発明に係る薬液供給装置本体７の構成概略図である。（７Ａ）は、線状取付具１が配設されていない薬液供給装置本体７であり、（７Ｂ）は、線状取付具１を配設した薬液供給装置本体７である。図７の（７Ｂ）に記載した線状取付具１は、図４の（４Ａ）に記載した実施形態の線状取付具１である。図７に示した薬液供給装置本体７には、図４の（４Ｂ）に示した実施形態の線状取付具１を配設することも可能である。図７に示した薬液供給装置本体７には、取付部配設部５２に取付具突出溝５６が設けられ、（７Ｂ）に示すように、線状取付具１の挿入部３が取付具突出溝５６から上方に突出し、図３に示した洗浄水供給部材１２の取付供給口１６に圧入されるよう配設される。よって、（７Ｂ）に示すように、前記取付供給口１６から供給された洗浄水の一部は、前記取付具突出溝５６から前記取付部配設部５２に一体形成された蓋部５４の上面に流下し、前記蓋部５４の上面から、薬剤（図７には、図示されていない）が載置される薬液供給装置本体７の内部に供給される。前記薬液供給装置本体７の内部は、開閉部材６４、内壁７１及び裏面壁７３によって覆われている。従って、前記薬液供給装置本体７の内部には、前記薬剤が載置されると共に、３つの流出口６８から流出し、前記薬液供給装置本体７の裏側から小便器の壁面に供給される洗浄水の量より供給される洗浄水の量が多い場合、前記薬液供給装置本体７の内部に洗浄水が貯留される。また、仕切板６８が設けられ、固形の薬剤または液体の薬剤が封入されたパウチ状のもの等が２つまで載置されるよう構成されている。（７Ｂ）に示すように、前記蓋部５４と前記取付部配設部５２の間に左右の前記上部係合線４２が配設され、前記各上部係合線４２が前記取付部配設部５２に係合する。更に、下部係合線３６が係合突起５８に係合し、前記各上部係合線４２と前記下部係合線３６とこれらを接続する左右の接続線４０からなる係合枠線部によって薬液供給装置本体７が抱持されている。
また、薬液供給装置本体７の裏側には、洗浄水入口６２が２個設けられ、前記洗浄水の一部が洗浄水入口６２を介して薬液供給装置本体７の内部に供給される。よって、前記洗浄水供給部材１２から洗浄水が供給されている際には、通常、前記流出口６８から流出するより、前記薬液供給装置本体７の内部に供給される洗浄水の量が多い。また、薬液供給装置本体７の外壁７０には、図３に示したカバー２４が好適な位置に配設されるよう支持板６０やカバー支持板７０ａが設けられている。更に、前記開閉部材６４は、薬剤を載置する際に開放することができ、開閉取手６４ａが設けられている。
【００４８】
図８は、本発明に係る薬液供給装置本体の開閉部材を開放した状態の構成概略図である。図８の（８Ａ）は、前記開閉部材６４を開放したときの薬液供給装置本体７であり、前記薬液供給装置７の内部底面に設けられた凸部７２の上に薬剤を載置する。（８Ｂ）に示すように、前記開閉部材６４を開放した際に、一点破線で示した立方体状の薬剤７４が載置され、前述のように、仕切板６６の左右に薬剤７４を２個まで載置することができる。
【００４９】
図９は、本発明に係る薬液供給装置本体７の側面概略図である。前記各挿入部３と前記薬液供給装置本体７の位置関係を示している。図９に示した薬液供給装置７は、図７、８に示した薬液供給装置本体７であり、その裏側には、洗浄水の導入板６２ａを有する前記洗浄水入口６２が設けられている。その他に、排出壁８０、排出口８８及び終端排出壁９０を有する排出路７８と、導出板８４や導出壁８２を有する薬液供給口（図示せず）が複数設けられる。更に、接触板９６が設けられ、小便器の壁面に接触して前記薬液供給装置本体７から排出される洗浄水が、より便器壁面に均一に流れるように設計されている。加えて、前記薬液供給装置本体７が左右方向に傾くことを抑制する。薬液供給装置本体に流入しなかった一部の洗浄水は、排出路７８を流通し、排出口から排出される。更に、側面にはカバー嵌合孔７６が設けられ、図３に示した前記カバー２４の内壁にある嵌合突起を嵌合する。
【００５０】
図１０は、本発明に係る洗浄水供給部材１２の構成概略図である。（１０Ａ）は、図３に示した洗浄水供給部材１２の側面図であり、同機能を有することから説明を省略する。（１０Ｂ）は、洗浄水供給部材１２を下方から見た下面図であり、取付供給口１６が２つ対称に設けられており、前述のように、線状取付具の挿入部が無理嵌め状に圧入される。図面には示していないが、本発明者らはＸ線画像を観察し、前記挿入部が前記取付供給口１６に圧入された状態を観察しており、後述の部分断面図に基づいて概略を説明する。
【００５１】
図１１は、本発明に係る洗浄水供給部材の部分断面図である。（１１Ａ）は、挿入部が圧入されていない洗浄水供給部材の部分断面図であり、（１１Ｂ）は、挿入部が圧入された洗浄水供給部材の部分断面図であり、前記洗浄水供給管１４の供給管断面１４ａ及び供給管内面１４ｂが示されている。前述のように、挿入押接部４６の上部と挿入接続部５０は、逆Ｖ字状の挿入線部を形成し、挿入押接部４６の下部と押接部４８がＶ字状の押接線部を形成している。逆Ｖ字にある前記挿入接続部５０と前記挿入押接部４６の上部との屈曲部が挿入部先端３ａとなって、前記取付供給口１６に無理嵌め状に圧入される。前記挿入接続部５０と前記挿入押接部４６は、無理嵌め状に圧入されるとき、バネ状に挿入部先端３ａが更に屈曲し、前記取付供給口１６に圧入される。前記取付供給口１６に前記挿入部が挿入されると、バネ状に挿入部先端３ａの屈曲が僅かに開放され、前記押接部４８と前記挿入押接部４６の下部が供給管内面１４ｂに押接する。従って、挿入部のループ径Ｌは、前記取付供給口１６の口径より大きく設定されている。ここで、前記ループ径Ｌは、前記押接部４８と前記挿入接続部５０の屈曲部から前記挿入押接部４６への垂線の長さとすれば良く、前記挿入部の最大幅に相当する。
【００５２】
図１２は、本発明に係る薬液供給装置２を洗浄水供給部材に装着した状態の概略図である。図３、図１１等に示したように、挿入部が洗浄水供給部材１２の取付供給管に圧入され、カバー２４が装着されると、図１２に示すように、洗浄水供給部材１２の前記洗浄水供給管が取付具口壁面２８に殆ど覆われ、小便器の使用者の方へ供給された洗浄水が跳ね返らないよう形成されている。即ち、洗浄水の殆どが薬液供給装置２の内部を介するか、裏側の流路や壁面を介して小便器の壁面を流下するよう構成されている。
【００５３】
図１３は、本発明に係る薬液供給装置の裏面概略図である。薬液供給装置の裏面には、前述のように、薬液供給口９２が３箇所設けられており、前記薬剤が溶解・分散した洗浄水が供給され、小便器の壁面を流下する。前述のように、各薬液供給口９２の周辺には、前記導出壁８４と前記導出板８２が設けられ、前記薬剤が溶解・分散された洗浄水がより確実に小便器の壁面に供給されて流下するよう構成されている。取付部配設部５２は、水平面に対し傾斜しており、供給された洗浄水の一部は、前記取付部配設部５２の表面を流下し、一部が洗浄水入口６２に供給される。即ち、挿入部３が突出する取付具突出溝５６以外に、洗浄水の一部は洗浄水入口６２から前記薬液供給装置本体の内部に供給される。
【００５４】
図１４は、本発明に係る薬液供給装置のカバーの開閉を説明する説明図である。（１４Ａ）は、カバー２４の開放状態を示し、（１４Ｂ）は、カバー２４の閉鎖状態を示している。図１４に示すように、挿入部３は、前記洗浄水供給部材に圧入できれば良く、取付具口壁面２８より上方に突出している必要はない。前述のように、外壁７０の側面には、カバー２４の嵌合突起を嵌合するカバー嵌合孔７６が設けられ、カバー２４を自在に開閉することができ、図７、８に示した開閉部材６４を開放すれば、容易に新しい薬剤を前記薬液供給装置本体の内部に載置することができる。
【００５５】
図１５は、本発明に係る薬液供給装置が輪状取付具によって装着された小便器の概略図である。図１５においても、図１と同様に、薬液供給装置２が小便器４に取付けられており、使用者が小便器４から離れたことをセンサ４ａで感知すると、洗浄水が小便器４の上部から供給され、薬液供給装置２により洗浄水に薬剤が溶解・分散して壁面８を流下する。従って、薬液を含む洗浄水により小便器４の壁面８が洗浄され、更に小便受部１０に洗浄水が一時的に溜まることにより、前記小便受部１０が洗浄される。図１５に記載した薬液供給装置２は、本発明に係る他の実施形態の線状取付具によって、小便器の壁面に取付けられており、取付部は、円盤状突起９から形成される。
【００５６】
図１６は、本発明に係る小便器の円盤状突起９の拡大概略図である。図１６に示した小便器は４では、薬液供給装置２が取り外されており、小便器４の壁面８には、取付部として円盤状突起９が設けられている。前記円盤状突起９は、一点破線の四角内に拡大概略図を示しており、前記円盤状突起９には環状溝９ａが設けられ、環状溝９ａに前述のループ線部が掛合される。更に、前述の線状取付具は輪状取付具であり、後述のように前記ループ線部が前記輪状取付具の輪部から形成される。
【００５７】
図１７は、本発明に係る輪状取付具５の構成概略図である。図１７は、輪部１１が設けられた輪状取付具５の係合枠線部４１を水平に置き、上方から視たものであり、円形の輪部１１が楕円状に見えている。ループ線部が輪部１１であることを除けば、輪状取付具５の構造は、図４に示した線状取付具１と同一である。即ち、図１７では、首線部４３の角度調整線４４を介して輪部１１が連設して形成され、前記係合枠線部４１の構造は図４と同一である。（１７Ａ）に示した輪状取付具５は、係合枠線部４１の下部係合線３６が一本の連続線からなり、左右の接続線４０によって各上部係合線４２に連設され、係合枠線部４１が形成されている。（１７Ｂ）に示した他の実施形態の輪状取付具５は、図４の（４Ｂ）と同様に、係合枠線部４１の下部係合線は中央で分断され左右にある２本の下部係合突線３９を有している。前記下部係合突線３９は、互いに分離しているから、薬液供給装置の本体に嵌合孔を２個設ければ、前記各下部係合突線３９を各嵌合孔に嵌合し、より安定に前記薬液供給装置の本体を抱持することができる。
【００５８】
図１８は、本発明に係る輪状取付具の他の実施形態を示す構成概略図である。図１８に示した各輪状取付具５において、首線部４３には角度調整線が設けられていないが、適宜に角度調整線を設けることが可能であり、より安定に薬液供給装置を抱持できるよう係合枠線部４１に対する輪部１１の角度が調整される。
（１８Ａ）に示した輪状取付具５は、２つの有端輪部１１ｂから輪部１１が形成され、各有端輪部１１ｂは自由端１１ｃを有している。前記輪部１１の強度が増強され、各々の一端が各首線部４３に連設されれば良く、比較的簡単に製造することができる。また、輪状取付具５は、一本の線材から形成することが可能であり、接合することなく加工することも可能である。前記環状溝の幅に安定に掛合され、取付けられた前記薬液供給装置の安定性がより向上する。係合枠線部４１は、図１７の（１７Ａ）と同一の構造を有している。
（１８Ｂ）に示した輪状取付具５は、２つの首線部４３が交差し、前記輪部１１が各首線部の端部から上方に連続して形成されている。係合枠線部４１は、図１７の（１７Ｂ）と同一の構造を有している。
（１８Ｃ）に示した輪状取付具５は、各首線部４３は中間位置で切断部を有し、各切断部はＵ字状の輪部連設線１１ａと逆Ｕ字状の係合枠連設線４３ａとの掛合止めにより連続化される。係合枠線部４１は、図１７の（１７Ａ）と同一の構造を有している。
【００５９】
図１９は、本発明に係る輪状取付具の輪部の側面概略図である。図６と同様に、図１９の各輪状取付具５の輪部１１は、首線部４３の角度調整線４４を介して前記上部係合線４２に連設される。前記接続部４０、前記上部係合部４２及び前記首線部４３の始端部を含む前記係合枠線部が略同一平面上にある場合、角度調整線４４により前記係合枠線部に対する輪部１１の角度が調整される。前記係合枠線部が略同一平面上ない場合においても、前記角度調整線４４が設けられることにより、輪部１１を好適な角度に調整することが可能である。
（１９Ａ）では、前記接続部４０、前記上部係合部４２及び前記首線部４３の始端部が水平面に平行になるよう記載されている。（１９Ｂ）では、前記接続部４０や前記首線部４３の始端部が水平面に対して傾斜し、前記輪部１１が垂直になるよう調整されている。即ち、（１９Ｂ）の状態が前記薬液供給装置を抱持し、小便器に取付けられた状態であるとき、前記角度調整線４４により前記輪部１１が上方を向くように調整されている。
（１９Ｃ）では、前記首線部４３に角度調整線４４が設けられておらず、前記首線部と前記輪部１１の側面が略直線である。前記係合枠線部により前記薬液供給装置を抱持したとき、前記薬液供給装置が安定に取付けられれば、前記角度調整線４４を設けなくとも良い。
【００６０】
図２０は、本発明に係る輪状取付具の輪部１１を小便器の環状溝９ａに取付けた説明図である。前述のように、輪状取付具に対する取付部は、環状溝９ａを有する円盤状突起９であり、輪部１１が環状溝９ａに掛合され、上部係合線４２や接合線４０を有する前記係合枠線部に抱持された薬液供給装置を吊持する。前記角度調整線４４が設けられることにより、前記輪部１１が壁面８に対して略平行となり、前記輪部１１が前記環状溝９ａに安定に掛合される。よって、水平面に対し接続線４０が傾斜する係合枠線部が薬液供給装置を抱持して安定に係合すれば、前記薬液供給装置が環状溝９ａを有する円盤状突起９に安定に吊持される。
また、洗浄水が環状溝９ａに設けられた洗浄水供給口（図示せず）から供給されれば、高効率に洗浄水を前記薬液供給装置の内部に供給することができる。
【００６１】
図２１は、本発明に係る薬液供給装置本体７に輪状取付具５を配設した構成概略図である。図２１の薬液供給装置本体７は、図７、８の薬液供給装置本体７と同一の構造を有し、詳細な説明は省略する。図２１の輪状取付具５は、図１７の（１７Ａ）等に示したものと同一であり、前記輪部１１を突出させて前記薬液供給装置本体７に配設される。各上部係合線４２は、取付部配設部５２に係合し、下部係合線３６は下部係合部が係合突起５８に係合する。よって、係合枠線部４１が薬液供給装置本体７を抱持して安定に係合し、前記輪部１１を前記環状溝に掛合し、小便器の壁面に薬液供給装置本体７を安定に取付けることができる。
【００６２】
図２２は、本発明に係る薬液供給装置のカバー２４の構成概略図である。図２１に示した薬液供給装置本体７には、カバー２４を装着し使用する。前記輪状取付具により取付けられる薬液供給装置のカバー２４は、前記輪状取付具の輪部を覆うカバー上部２４ａが設けられる。よって、図１１において、前記輪部１１が掛合する環状溝９ａから洗浄水が供給される場合に、洗浄水が図２２に示したカバー２４の下流以外に放射されることを防止することができる。また、前記薬液供給装置からは、前述のように、薬剤が溶解・分散した洗浄水が壁面に沿って流下され、カバー２４により、使用者等の方向へ洗浄水が反射されることが無いよう構成されている。カバー２４には、前記薬液供給装置本体の突起等を嵌合する嵌合孔が設けられ、簡単にカバーが脱離又は開放されないよう構成されている。
【００６３】
尚、本発明は上記実施形態に限定されるものではなく、本発明の技術的思想を逸脱しない範囲における種々変形例、設計変更などをその技術的範囲内に包含するものであることは云うまでもない。
【産業上の利用可能性】
【００６４】
本発明によれば、小便器を損傷させることなく薬液供給装置を安定に取付け、洗浄水の供給時に、洗浄水に同量程度の薬剤を分散・溶解させ、長期間に亘って使用可能な小便器用薬液供給装置の線状取付具を提供することができる。即ち、前記線状取付具は、前記小便器用薬液供給装置を抱持する係合枠線部と、前記係合枠線部に連続して上方に突出する首線部に形成されたループ線部から構成され、前記ループ線部を前記小便器の前記取付部に取着するから、取着時に小便器を損傷させることなく前記小便器用薬液供給装置を安定に取付けることができる。従って、前記小便器用薬液供給装置により、水洗時に同量程度の薬剤を分散・溶解させると共に、長期間に亘って線状取付具を使用することができる。
【符号の説明】
【００６５】
１        線状取付具
２        薬液供給装置
２ａ      薬液供給部
３        挿入部
３ａ      挿入部先端
４        小便器
４ａ      センサ
５        輪状取付具
６        取付部
７        薬液供給装置本体
８        壁面
９        円盤状突起
９ａ      環状溝
１０      小便受部
１１      輪部
１１ａ    輪部連設線
１１ｂ    有端輪部
１１ｃ    自由端
１２      洗浄水供給部材
１４      洗浄水供給管
１４ａ    供給管断面
１４ｂ    供給管内面
１６      取付供給口
１８      終端壁
２０      ストッパ
２２      間隙
２４      カバー
２４ａ    カバー上部
２６      取付具口
２８      取付具口壁面
３０      嵌合孔
３２      挿入管
３２ａ    螺合部
３４      挿入管上部
３６      下部係合線
３８      下部係合部
３９      下部係合突線
４０      接続線
４１      係合枠線部
４２      上部係合線
４３      首線部
４３ａ    係合枠連設線
４４      角度調整線
４６      挿入押接部
４８      押接部
５０      挿入接続部
５２      取付部配設部
５４      蓋部
５６      取付具突出溝
５８      係合突起
６０      支持板
６２      洗浄水入口
６２ａ    導入板
６４      開閉部材
６４ａ    開閉取手
６６      仕切板
６８      流出口
７０      外壁
７０ａ    カバー支持板
７１      内壁
７２      凸部
７３      裏面壁
７４      薬剤
７６      カバー嵌合孔
７８      排出路
７９      排出口
８０      排出壁
８２      導出壁
８４      導出板
８８      接触板
９２      薬液供給口
１６１    フック
１６２    フック
Ｈ        噴出口
Ｔ        小便器
ＴＷ      壁面
【図１】
0005877683.tif 000002
【図２】
0005877683.tif 000003
【図３】
0005877683.tif 000004
【図４】
0005877683.tif 000005
【図５】
0005877683.tif 000006
【図６】
0005877683.tif 000007
【図７】
0005877683.tif 000008
【図８】
0005877683.tif 000009
【図９】
0005877683.tif 000010
【図１０】
0005877683.tif 000011
【図１１】
0005877683.tif 000012
【図１２】
0005877683.tif 000013
【図１３】
0005877683.tif 000014
【図１４】
0005877683.tif 000015
【図１５】
0005877683.tif 000016
【図１６】
0005877683.tif 000017
【図１７】
0005877683.tif 000018
【図１８】
0005877683.tif 000019
【図１９】
0005877683.tif 000020
【図２０】
0005877683.tif 000021
【図２１】
0005877683.tif 000022
【図２２】
0005877683.tif 000023
【図２３】
0005877683.tif 000024